(57)【特許請求の範囲】
【請求項１】
放射線画像が記録された記録媒体を内蔵するカセッテが装着される各々に対応するスロット番号が対応付けられた複数のスロットと、
カセッテを前記スロットに装着する際、投入されたスロット番号情報及びカセッテ投入順序情報を登録するカセッテ投入順キュー登録手段、
記憶される放射線画像に対応する情報を予め予約して記憶しておく予約情報記憶手段、
前記予約情報から所定の予約情報を選択する予約情報選択手段、
前記選択された予約情報と選択順序情報と登録する予約選択キュー登録手段、
前記カセッテ投入順キューと前記予約選択キューとを対応付けて登録する読取登録キュー登録手段、
前記読取登録キューに基づき、該予約情報リストの中から読み取りのための登録が完了されたものを読み取り登録リストとして表示する表示部と、
を有することを特徴とする画像読み取り装置。
【請求項２】
前記予約情報リストと読み取り登録リストとを同一画面に表示することを特徴とする請求項１記載の画像読み取り装置。
【請求項３】
前記読み取り画像を読み取り登録リストと同一画面に表示することを特徴とする請求項１又は２記載の画像読み取り装置。
【発明の詳細な説明】
【０００１】
【発明の属する技術分野】
本発明は画像読み取り装置に関し、更に詳しくは画像読み取りを登録順に表示部に表示させるようにした画像読み取り装置に関する。
【０００２】
【従来の技術】
ある種の蛍光体に放射線（Ｘ線、α線、β線、ｒ線、紫外線等）を照射すると、この放射線エネルギーの一部が蛍光体中に蓄積される。そして、この蛍光体に可視光等の励起光を照射すると、蓄積されたエネルギーに応じて蛍光体が輝尽発光を示すことが知られいる。このような性質を示す蛍光体は蓄積性蛍光体若しくは輝尽性蛍光体と呼ばれる。
【０００３】
この輝尽性蛍光体を利用して、人体等の放射線画像情報を一旦シート上に設けられた蓄積性蛍光体（輝尽性蛍光体プレート等の放射線画像変換プレート）に記録し、この放射線画像変換プレートをレーザ光等の励起光で走査して輝尽発光光を生ぜしめ、得られた輝尽発光光を電気的に読み出して画像信号を得ることが可能である。
【０００４】
【発明が解決しようとする課題】
従来の画像読み取り装置では、カセッテにバーコードを貼り、バーコードと予約とが対応しており、該バーコードを読み出して画像を特定するものであった。この種の方式では、登録リストが表示されず、また読み取り画像も１個ずつしか読み取らないという問題があった。
【０００５】
本発明はこのような課題に鑑みてなされたものであって、操作性のよい画像読み取り装置を提供することを目的としている。
【０００６】
【課題を解決するための手段】
前記した課題を解決する発明は、
放射線画像が記録された記録媒体を内蔵するカセッテが装着される各々に対応するスロット番号が対応付けられた複数のスロットと、カセッテを前記スロットに装着する際、投入されたスロット番号情報及びカセッテ投入順序情報を登録するカセッテ投入順キュー登録手段、記憶される放射線画像に対応する情報を予め予約して記憶しておく予約情報記憶手段、前記予約情報から所定の予約情報を選択する予約情報選択手段、前記選択された予約情報と選択順序情報と登録する予約選択キュー登録手段、前記カセッテ投入順キューと前記予約選択キューとを対応付けて登録する読取登録キュー登録手段、前記読取登録キューに基づき、該予約情報リストの中から読み取りのための登録が完了されたものを読み取り登録リストとして表示する表示部と、を有することを特徴としている。
【０００７】
この発明の構成によれば、読み取りのための登録が完了したリストを登録リストとして表示部に表示することにより、所望のカセッテの読み取り時間を予測することが可能となる。
【０００８】
（２）この場合において、前記予約情報リストと読み取り登録リストとを同一画面に表示することを特徴とする。
【０００９】
この発明の構成によれば、予約情報リストと読み取り登録リストとを同一画面に表示することができ、操作性が向上する。
（３）また、前記読み取り画像を読み取り登録リストと同一画面に表示することを特徴とする。
【００１０】
この発明の構成によれば、読み取り登録リストと読み取った画像表示とを同一画面に表示することにより、操作性が向上する。
【００１２】
【発明の実施の形態】
以下、図面を参照して本発明の実施の形態例を詳細に説明する。
図１は本発明で用いるカセッテの構成例を示す図である。カセッテ９は、バック面のケース半体９００，フロント面（Ｘ線照射面）のケース半体９０１とを合わせて周囲をビス９０２により締め付けて一体化している。
【００１３】
また、カセッテ９の一辺部には開口９０３が形成され、この開口９０３からキャップ９０７により放射線画像変換プレート１２を引き出し可能になっている。放射線画像変換プレート１２は、輝尽性蛍光体層を有し、輝尽性蛍光体層は、放射線発生源からの照射放射線量に対する被写体の放射線透過率分布にしたがったエネルギーを蓄積して潜像を形成する。放射線画像変換プレート１２は気相堆積或いは塗布によって輝尽性蛍光体層を設けてある。輝尽性蛍光体層は環境による悪影響及び損傷を遮断するために保護部材によって遮蔽もしくは被覆されている。
【００１４】
放射線画像変換プレート１２はカセッテ９内部のリジッドなトレイ９０４に固定され、画像が記録される領域以外の部分に対応して一対の係止ピン（図示せず）がトレイ９０４に設けられ、この一対の係止ピンは放射線画像変換プレート１２のトレイ９０４に貫通している。
【００１５】
キャップ９０７にはロック機構９０８が内蔵され、ロック孔９０９からロック機構９０８のロック解除が可能になっている。また、キャップ９０７には、一対のレバー９１０が設けられ、この一対のレバー９１０によりキャップ９０７を開閉してカセッテ９からトレイ９０４ごと放射線画像変換プレート１２が引き出され、あるいは収納される。
【００１６】
カセッテ９のバック面には、識別シール９１１が貼り付けられており、識別シール９１１には白と黒とによる識別情報が記録され、この識別シール９１１の識別情報の検出によりカセッテ９の種類とサイズの検出を行なう。また、この識別シール９１１により、カセッテ９の投入方向、表裏の判別を行う。
【００１７】
また、カセッテ９の上下グリッド方向の指示は、上下方向の指示マーク９１２によるが、キャップ９０７を下側にしてカセッテ９をカセッテスタッカ部へ投入することで上下方向を指定するようにしてもよい。
【００１８】
また、カセッテ９のバック面には、ケース半体９００に診療録クリップ９１３が設けられ、この診療録クリップ９１３の周囲にはケース半体９００に凹部９００ａが形成され、この凹部９００ａと診療録クリップ９１３とで診療録等が保持される。
【００１９】
図２は本発明の画像読み取り装置１の外観構成例を示す図である。カセッテスタッカ部３と、表示・操作部７とは放射線画像読み取り装置１の上部で、略水平方向に並設されている。即ち、カセッテスタッカ部３は放射線画像読み取り装置１の上部に向かって右側に配置され、表示・操作部７は放射線画像読み取り装置１の上部向かって左側に配置されている。
【００２０】
カセッテスタッカ部３は、５個のスロット毎に設けられた投入部３００を有している。表示・操作部７には、表示部としてのＣＲＴ表示部７０と、ＣＲＴ表示部７０の表示面上に設けられた操作部としてのタッチパネル７１とが備えられ、ＣＲＴ表示部７０上に検査予約、患者登録等の操作及び装置各部の状態表示・設定、及び読み取られた画像の表示を行う。
【００２１】
ＣＲＴ表示部７０は、例えば１５インチＣＲＴ表示装置(24ビットカラー、モノクロ256階調・解像度1024×768)が用いられ、操作入力は、ＣＲＴ表示部７０上のタッチパネル７１により行なうようになっている。
【００２２】
本実施の形態例のタッチパネル７１は、光、例えば、赤外線の遮断で反応する光方式とした。投入部３００は、投入ガイド部３０１及び収納部３０２から構成されている。投入ガイド部３０１は溝状で収納部３０２に向かって延び、カセッテ９を収納部３０２に垂直状態で導くように形成されている。収納部３０２には、カセッテ９が所定の隙間を持って収納保持される。
【００２３】
カセッテ９は、カセッテ長辺方向を水平にした状態で、装置の手前側を基準とする縦投入であり、カセッテ９の投入と同時にスロット毎に収納部３０２の開口に設けられた遮光シャッタ３０３が閉じ、開口部から漏れ光を防ぐ。
【００２４】
各スロット毎にカセッテ９の抜き取りが可能であり、誤ってカセッテ９が抜き取られることがないように読取中を示すＬＥＤランプ３０４を装備する。なお、カセッテの大きさは必ずしも単一ではなく、複数の大きさを有するものである。
【００２５】
図３は本発明の放射線画像読み取り装置の一実施の形態例を示すブロック図である。放射線画像読み取り装置１の装置本体２に備えられるカセッテスタッカ部３には、カセッテスタッカ部機構・駆動部３０及びカセッテスタッカ部制御部３１が備えられ、複数種類の放射線画像変換プレートを収納したカセッテ９がセット可能になっている。カセッテスタッカ部制御部３１の制御に基づきカセッテスタッカ部機構・駆動部３０を駆動して、放射線画像変換プレートを収納したカセッテ９が投入されると、所定の状態にセットする。
【００２６】
プレート制御部４には、プレート搬送部機構・駆動部４０及びプレート搬送部制御部４１が備えられ、カセッテスタッカ部制御部３１からの指令に基づきプレート搬送部制御部４１は、プレート搬送部機構・駆動部４０を制御する。プレート搬送部機構・駆動部４０は、カセッテ９から放射線画像変換プレート１２を引き出し、この引き出された放射線画像変換プレート１２を画像読取部方向へ搬送する。
【００２７】
画像読取部５には、副走査部機構・駆動部５０及び主走査部５１が備えられ、副走査部機構・駆動部５０により主走査部５１が副走査方向へ搬送され、主走査部５１のレーザ走査による画像読み取りが行われる。
【００２８】
システム制御部６には、メインＣＰＵ６０及び読取部制御画像入力制御部６１が備えられている。メインＣＰＵ６０には、システムプログラムを記憶したシステム用ディスク６２、画像情報を記憶する画像ディスク６３，６４が接続され、またボード６５を介してホストコンピュータ６６、診断装置６７及び患者登録ターミナル６８に接続される。メインＣＰＵ６０では、全体制御、画像処理、出力制御及び画像管理を行う。読取部制御画像入力制御部６１は、カセッテスタッカ部制御部３１、副走査部機構・駆動部５０及び主走査部５１を制御して放射線画像変換プレート１２の画像読み取りを行い、この画像情報をメインＣＰＵ６０に送る。
【００２９】
表示・操作部７には、画像読取部５で読み取られた画像を表示する表示部としてのＣＲＴ表示部７０と、ＣＲＴ表示部７０の表示画面上に設けられた操作部としてのタッチパネル７１とが備えられ、タッチパネル７１からの指令情報がメインＣＰＵ６０に送られ、メインＣＰＵ６０では入力指令に基づく制御を行なう。
【００３０】
次に、本発明の詳細動作について説明する。図４は表示・操作部７の内の表示部の表示例を示している。図において、７００は予約情報リスト、７１０は画像表示部、７２０は読み取り登録リストである。該登録リスト中、左の数字３，１，５，４はスロット番号である。ここで、読み取り登録とは、登録順と表示順を対応付けることをいう。予約情報リスト７００には、これから読み取るデータのリストが表示される。そして、画像読み取りを行なう予定の情報が記憶手段に記憶される。予約情報リスト７００は、タッチパネル７１（図２参照）で構成されている。図中の数字は、使用できる文字数を表している。
【００３１】
先ず、カセッテスタッカ部３に複数種類のカセッテ９が装着される。この時、装着されるスロット番号はメインＣＰＵ６０が覚えている。そこで、オペレータは画像が記憶されたカセッテ９をカセッテスタッカ部３の任意のスロットに装着していく。この時、装着されたカセッテのサイズ及び種類は、カセッテ表面に形成された識別シール９１１（図１参照）からＣＰＵ６０に読み取りられる。
【００３２】
そこで、オペレータが任意のスロットに順次カセッテ９を装着すると、ＣＰＵ６０はどのスロットにカセッテ９が装着されたかの情報と、装着の順番情報と、装着されたカセッテ９のサイズを読み取ることになる。
【００３３】
図５はカセッテ投入動作（装着動作）を示すフローチャートである。オペレータがカセッテ９をカセッテスタッカ部３に投入（装着）すると（Ｓ１）、ＣＰＵ６０はカセッテが投入されたスロット番号と、カセッテサイズを取得する（Ｓ２）。ここで、カセッテサイズは、カセッテ９に貼り付けられた識別シール９１１（図１参照）に表示されたコードから読み取ることができる。
【００３４】
次に、ＣＰＵ６０は読み込んだカセッテ情報をカセッテ投入順キュー９０に登録する（Ｓ３）。図において、９０はカセッテ投入順キューであり、例えば画像用ディスク６３又は６４（図３）に記憶される。カセッテ投入順キュー９０は、投入順と、スロット番号と、カセッテサイズから構成されている。カセッテサイズには、半切や六切とかのサイズが記憶される。
【００３５】
次に、予約選択動作について説明する。図６は予約選択動作を示すフローチャートである。先ずオペレータが予約情報リスト７００から所定のデータ領域をタッチして予約選択する（Ｓ１）。この時、最初にタッチされた氏名部分に対応する番号表示部７０１に１番目にタッチしたことを示す数字“１”が表示される。
【００３６】
次に、オペレータが一つ飛ばして氏名データをタッチすると、番号表示領域７０１に２番目に押されたことを示す“２”が表示される。以下、同様である。なお、番号表示領域７０１に表示されている“Ｒ”は参照保留、“Ｓ”は検査保留を示す。通常はＯＫボタ７２１が押されると画像は必ず記憶されるが、“Ｒ”、“Ｓ”の場合には画像出力をせず、検査保留が解除されるまでは画像データは消されない。
【００３７】
次に、ＣＰＵ６０は予約選択された情報を取得する（Ｓ２）。これにより、予約選択キュー９１に登録する（Ｓ３）。予約選択キュー９１は、図に示すように選択順と予約情報から構成されている。予約選択キュー９１は、例えば画像用ディスク６３又は６４に記憶される。
【００３８】
ここで、オペレータが読み取り予約ボタン７０２をタッチすると、読み取り登録動作に入る。図７は読み取り登録（予約とカセッテの対応づけ）動作を示すフローチャートである。ＣＰＵ６０はカセッテ投入順キュー９０をチェックする（Ｓ１）。カセッテ投入順キュー９０には、投入順にスロット番号とカセッテサイズが記憶されている。カセッテ投入順キューがある場合には、ＣＰＵ６０は予約選択キュー９１をチェックする（Ｓ２）。
【００３９】
予約選択キュー９１にデータがある場合には、ＣＰＵ６０は投入順１番と選択順１番とを対応づける（Ｓ３）。次に、読取登録キュー９３に対応づけを登録する（Ｓ４）。読取登録キュー９３は、図に示すように登録順にスロット番号とカセッテサイズと予約情報とが記憶されている。この読取登録キューによれば、１番目に登録されたものは、スロット番号４に装着されたカセッテで、カセッテサイズは半切、予約情報はＢとなる。
【００４０】
読取登録キュー９３への登録が終了すると、今度はカセッテ投入順キュー９０から当該情報を削除し（Ｓ５）、次に予約選択キュー９１から当該情報を削除する（Ｓ６）。以下、ステップＳ１に戻り、同様の動作を繰り返すことになる。
【００４１】
この結果、それまでの操作で特定された氏名データが最終的に確定し、当該データは、読み取り登録リスト７２０に移される。そして、一番最初に登録された氏名の画像から表示部７１０に表示されていく。即ち、ＣＰＵ６０はカセッテスタッカ部３に装着されたカセッテ９の内の登録された順のカセッテ９から画像読み取りを行なう。
【００４２】
そして、登録された順に表示部７１０に特定された氏名の人物の画像が読み取られて表示される。放射線画像は、装置本体２（図２参照）で読み取られ、表示部７１０に表示されることになる。即ち、登録された順に画像が表示される。画像の観察が終了したら、オペレータはＯＫボタン７２１をタッチする。すると、表示された画像は最終的に確定し、当該画像データを出力したり、記憶手段に記憶する処理が可能となる。
【００４３】
ＣＰＵ６０は、登録された順に表示部７１０に特定された氏名の人物の画像を読み取り表示させる。放射線画像の読み取りは、装置本体２（図２参照）で読み取られ、表示部（ＣＲＴ）７１０に表示されることになる。即ち、登録された順に画像が表示される。画像の観察が終了したら、オペレータはＯＫボタン７２１をタッチする。すると、当該画像を出力したり、記憶手段に記憶することが可能になる。
【００４４】
ＯＫボタン７２１がタッチされると、次に登録されている番号１の画像データが繰り上がり表示部７１０に表示される。ここで、番号１とはスロット番号が１であるということである。
【００４５】
本発明によれば、読み取り登録リスト７２０に予約情報リスト７００で登録したデータを登録順に読み取り登録リスト７２０に移して、かつ縮小して表示し、画像読み取りの順番が一目で分かるようにしたので、読み取りのための登録が完了したリストを登録リストとして表示部に表示することにより、所望のカセッテの読み取り時間を予測することが可能となる。
【００４６】
なお、読み取り登録が完了した画像データを表示部に表示させずに、別途設けられた記憶手段に記憶させておくようにすることもできる。これによれば、別途記憶手段に記録させておくことにより、後で他の装置に転送したり、所定の画像処理を行なうこと等が可能となり都合がよい。
【００４７】
図８は画像読み取り動作を示すフローチャートである。先ず、ＣＰＵ６０は読取登録キュー９３をチェックする（Ｓ１）。読み取り登録キューがある場合には、読み取り動作を行ない（Ｓ２）、読み取った画像を表示部７１０に表示する（Ｓ３）。
【００４８】
次に、どのボタンが押されるかどうかチェックする（Ｓ４）。ＯＫボタン７２１がタッチされた場合には、画像を保存し（Ｓ５）、読取登録キュー９３から削除する（Ｓ９）。再撮影ボタン７２２がタッチされた場合には、画像を破棄し（Ｓ６）、読み取り登録キュー９３から削除する。詳細ボタン７２３がタッチされた場合には、詳細表示を行ない（Ｓ７）、操作処理を行ない（Ｓ８）、ステップＳ４に戻る。ここで、操作処理とは、画像の拡大表示や、画像処理変更等である。
【００４９】
この場合において、画像読み取りの場合において、画像出力ボタン又は再撮影ボタンが一定時間以上選択されない場合、警告表示することができる。この結果、読み取り画像が一定時間以上処理されない場合に警告してオペレータに注意を促すことができる。
【００５０】
また、予約を選択する画面と同一画面で読み取った画像を表示し、読み取り登録リストを表示することができる。この結果、予約選択画面と読み取った画像表示画面とを同一画面とすることにより、操作性が向上する。
【００５１】
また、上述の実施の形態例では、予約データ等の選択にタッチボタンを用いた場合を例にとったが、本発明はこれに限るものではなく、キーボード等による選択や、マウスによるクリック等を用いることができる。
【００５２】
（１）以上、詳細に説明したように、本発明によれば、
放射線画像が記録された記録媒体を内蔵するカセッテが装着される各々に対応するスロット番号が対応付けられた複数のスロットと、カセッテを前記スロットに装着する際、投入されたスロット番号情報及びカセッテ投入順序情報を登録するカセッテ投入順キュー登録手段、記憶される放射線画像に対応する情報を予め予約して記憶しておく予約情報記憶手段、前記予約情報から所定の予約情報を選択する予約情報選択手段、前記選択された予約情報と選択順序情報と登録する予約選択キュー登録手段、前記カセッテ投入順キューと前記予約選択キューとを対応付けて登録する読取登録キュー登録手段、前記読取登録キューに基づき、該予約情報リストの中から読み取りのための登録が完了されたものを読み取り登録リストとして表示する表示部と、を有することを特徴することにより、読み取りのための登録が完了したリストを登録リストとして表示部に表示し、所望のカセッテの読み取り時間を予測することが可能となる。
【００５３】
（２）この場合において、予約情報リストと読み取り登録リストとを同一画面に表示することにより、予約情報リストと読み取り登録リストとを同一画面に表示することができ、操作性が向上する。
【００５４】
（３）また、読み取った画像を読み取り登録リストと同一画面に表示することにより、読み取り登録リストと読み取った画像表示とを同一が目に表示することで、操作性が向上する。
【図面の簡単な説明】
【図１】本発明で用いるカセッテの構成例を示す図である。
【図２】画像読み取り装置の外観構成例を示す図である。
【図３】本発明の一実施の形態例を示すブロック図である。
【図４】本発明による表示部の表示例を示す図である。
【図５】カセッテ投入動作を示すフローチャートである。
【図６】予約選択動作を示すフローチャートである。
【図７】読取登録動作を示すフローチャートである。
【図８】画像読み取り動作を示すフローチャートである。
【符号の説明】
１  放射線画像読み取り装置
２  装置本体
３  カセッテスタッカ部
４  プレート制御部
５  画像読み取り部
７  表示操作部
９  カセッテ
６０  ＣＰＵ
６５  ボード
６３  画像用ディスク
６４  画像用ディスク
７０  ＣＲＴ
７１  タッチパネル
【図１】
0003721778.tif 000002
【図２】
0003721778.tif 000003
【図３】
0003721778.tif 000004
【図４】
0003721778.tif 000005
【図５】
0003721778.tif 000006
【図６】
0003721778.tif 000007
【図７】
0003721778.tif 000008
【図８】
0003721778.tif 000009